(57)【要約】【課題】  夜間において、弾道や着弾点を確認することができる蓄光弾発射用玩具空気銃であって、蓄光弾に対する蓄光を弾倉内において行い、この蓄光によって発光させながら発射させる。【解決手段】  蓄光弾２を一列状に装填し得る蓄光弾供給通路３を設けている弾倉本体１内に蓄光弾２に光を照射する照光装置４を配設し、弾倉本体１を玩具空気銃に装着した時に、照光装置４のスイッチを閉じて該照光装置４を照光させ、蓄光弾供給通路３内に装填している全ての蓄光弾２に光を照射して蓄光させ、この蓄光弾２を蓄光弾供給通路３から玩具空気銃の蓄光弾装填部に送り出して発光させながら発射させるように構成している。【選択図】    図１
2007218522.tif 000002
【特許請求の範囲】
【請求項１】
弾倉本体に照光装置を内蔵し、この照光装置からの照光により弾倉本体内に装填している蓄光弾を蓄光させるように構成したことを特徴とする玩具空気銃における弾倉。
【請求項２】
照光装置は電池と、この電池に配線回路を介して接続している発光部材と、電池から発光部材への通電をオン、オフするスイッチとからなり、玩具空気銃への弾倉本体の装着によってスイッチを閉状態にし、発光部材を発光させるように構成していることを特徴とする請求項１に記載の玩具空気銃における弾倉。
【請求項３】
発光部材は発光ダイオードであることを特徴とする請求項２に記載の玩具空気銃における弾倉。
【請求項４】
弾倉本体内に設けている蓄光弾供給通路の内壁面に光を乱反射させる多数の凹凸面を形成して照光装置の発光部材からの光をこの蓄光弾供給通路に一列状に装填している全ての蓄光弾に照射させるように構成していることを特徴とする請求項１、請求項２又は請求項３に記載の玩具空気銃における弾倉。
【請求項５】
蓄光弾供給通路は透明な合成樹脂よりなる通路であると共に、照光装置における照光部材をこの通路の供給終端部に向けて配設していることを特徴とする請求項１ないし請求項４のうち、いずれか１項に記載の玩具空気銃における弾倉。
【発明の詳細な説明】
【技術分野】
【０００１】
本発明は、夜行性小害獣を撃退するための非殺傷威嚇用として或いは夜間における模擬戦闘ゲーム用として使用する、蓄光弾を発射する玩具空気銃において、発射する前の蓄光弾に蓄光性を付与する手段を備えた玩具空気銃における弾倉に関するものである。
【背景技術】
【０００２】
従来から、夜間や暗闇において玩具空気銃を使用する場合、通常の弾丸ではその弾道や着弾点を確認することができないため、ＢＢ弾に蓄光性顔料を塗布又は混入して蓄光性を付与している所謂、蓄光弾を使用し、この蓄光弾を玩具空気銃の銃口から発射する際に該蓄光弾に光を照射して蓄光させ、この蓄光弾を発射することによって該蓄光弾から放射される光により飛行弾道や着弾点を確認することが行われている。
【０００３】
このように、銃口から蓄光弾を発射する直前に該蓄光弾を蓄光させて発光性を付与する手段としては、例えば、特許文献１や特許文献２に記載されているように、銃身部分に銃身内を通過する蓄光弾に向かって投光するストロボ発光器と、このストロボ発光器よりも弾丸発射機構側に、弾丸の発射通過を検知するセンサとを配設し、蓄光弾の発射時に該センサによって銃身内を通過する蓄光弾を検知してその電気信号により上記ストロボ発光器を閃光させ、この閃光によって瞬間的に蓄光弾に蓄光させてるように構成している。
【特許文献１】特開昭６３−２０１４９９号公報
【特許文献２】特開２００１−１６２０３４号公報
【発明の開示】
【発明が解決しようとする課題】
【０００４】
しかしながら、閃光によって蓄光弾を蓄光させる上記ストロボ発光器は高価であるばかりでなく、センサや充電用のユニット、電池等と共に銃身部分に配設しなければならないために装置全体も煩雑化してコスト高になり、その上、銃口から高速度で発射される弾丸にその発射と同調させてストロボ発光器を作動させるには高い精度を必要とし、さらに、銃口から該ストロボ発光器の閃光が漏洩して模擬戦闘ゲーム用等として使用した場合には、相手にその位置を分からせてしまうといった問題点があった。また、蓄光性を有しないＢＢ弾射撃用の既存の玩具空気銃を、夜間において発光させる蓄光弾の射撃用として採用することができないといった問題点がある。
【０００５】
本発明はこのような問題点に鑑みてなされたもので、その目的とするところは、高価で大型のストロボ発光器などを採用することなく、玩具空気銃に弾倉を装着するだけで該弾倉内に装填している複数個の蓄光弾を弾倉内で蓄光させることができる玩具空気銃の弾倉を提供するにある。
【課題を解決するための手段】
【０００６】
上記目的を達成するために本発明の玩具空気銃の弾倉は、請求項１に記載したように、弾倉本体に照光装置を内蔵し、この照光装置からの照光により弾倉本体内に装填している蓄光弾を蓄光させるように構成している。
【０００７】
このように構成した玩具空気銃の弾倉において、請求項２に係る発明は、上記照光装置を電池と、この電池に配線回路を介して接続している発光部材と、電池から発光部材への通電をオン、オフするスイッチとから構成していると共に玩具空気銃への弾倉本体の装着によってスイッチを閉状態にして発光部材を発光させるように構成したことを特徴とし、請求項３に係る発明は、上記発光部材は発光ダイオードであることを特徴とする。
【０００８】
また、請求項４に係る発明は、弾倉本体内に設けている蓄光弾供給通路の内壁面に光を乱反射させる多数の凹凸面を形成し、照光装置の発光部材からの光をこの蓄光弾供給通路に一列状に装填している全ての蓄光弾に照射させるように構成している。
【０００９】
さらに、請求項５に係る発明は、上記蓄光弾供給通路は透明な合成樹脂よりなる通路であると共に、上記照光装置における照光部材をこの通路の供給終端部に向けて配設していることを特徴とする。
【発明の効果】
【００１０】
本発明の玩具空気銃における弾倉によれば、弾倉本体に照光装置を内蔵し、この照光装置からの照光により弾倉本体内に装填している蓄光弾を蓄光させるように構成しているので、構造が簡単て安価に提供できるのは勿論、蓄光弾が発射される前に、予め、弾倉本体内で発光手段により充分な光量を蓄光させておくことができ、従って、この蓄光済みの蓄光弾を弾倉本体から玩具空気銃の銃身後方側の蓄光弾装填部に送り出して銃口から発射させることにより、従来の銃身にストロボ発光器を装着した玩具空気銃と同様に、夜間や暗闇における蓄光弾の飛行弾道や着弾点を確実に確認することができる。また、既存の玩具空気銃の弾倉に、上記照光装置を内蔵した弾倉を採用することによって、該玩具空気銃を蓄光弾射撃用銃として便益に使用することができる。
【００１１】
上記玩具空気銃の弾倉において、請求項２に係る発明によれば、上記照光装置を電池と、この電池に配線回路を介して接続している発光部材と、電池から発光部材への通電をオン、オフするスイッチとから構成していると共に玩具空気銃への弾倉本体の装着によってスイッチを閉状態にして発光部材を発光させるように構成しているので、構造が簡単で狭い弾倉本体内であってもコンパクトに収納、配設しておくことができると共に、発光部材が請求項３に記載したように発光ダイオードからなる場合には、発光ダイオードは消費電力が少なく且つ寿命が長いので、長期間に亘って一定輝度の照光を行って、弾倉本体内の蓄光弾を確実に蓄光させることができ、その上発熱しないので、玩具空気銃や弾倉本体に悪影響を及ぼす虞れはない。さらに、蓄光弾を装填している弾倉本体を玩具空気銃に装着するだけで、自動的に発光装置を作動させて該弾倉本体が玩具空気銃に装着されている間、発光部材からの発光によって蓄光弾に発光に必要な充分な光量を蓄光させることができる。
【００１２】
請求項４に係る発明によれば、弾倉本体内に設けている蓄光弾供給通路の内壁面に光を乱反射させる多数の凹凸面を形成して照光装置の発光部材からの光をこの蓄光弾供給通路に一列状に装填している全ての蓄光弾に照射させるように構成しているので、発光ダイオード等の発光部材から照射される光を蓄光弾供給路内に装填されている全ての蓄光弾に均一に照光させることができ、光度の弱い発光ダンオードであっても、蓄光弾が銃身側の蓄光弾装填部に供給される間に、弾倉本体内で予め、効果的に蓄光させることができる。
【００１３】
その上、請求項５に記載したように、上記蓄光弾供給通路を透明な合成樹脂よりなる通路とし、照光装置における上記照光部材をこの通路の供給終端部に向けて配設しておくことによって、弾倉本体内から蓄光弾装填部に送り出される直前の蓄光弾により多くの光量を蓄光させることができ、銃口から発射される該蓄光弾を長く且つ明るい輝度でもって発光させて弾道や着弾点を明確に確認することができる。
【発明を実施するための最良の形態】
【００１４】
本発明の具体的な実施の形態を図面について説明すると、図１は本発明の弾倉を装着した玩具空気銃の要部の縦断側面図であって、弾倉本体１は縦長長方形状の合成樹脂製ケース体からなり、その内部に蓄光弾２を一列状に装填させる蓄光弾供給通路３と、蓄光弾２に光を照射してこれらの蓄光弾２を蓄光させる照光装置４を設けている。なお、蓄光弾２とは、蓄光性顔料を混入している合成樹脂製のＢＢ弾丸、又は、ＢＢ弾丸の表面に蓄光性顔料を塗布してなる弾丸、或いは、蓄蛍光素材で成形してなるＢＢ弾であって、照光により蓄光して照光の停止後には蓄光量に応じた時間だけ発光する弾丸をいう。
【００１５】
この蓄光弾２を一列状に装填させる上記蓄光弾供給通路３は図２に示すように、弾倉本体１の後部内の上下端部間に設けられた後側通路部3cと、この後側通路部3cの下端から弾倉本体１の前部下端間に亘って下向き円弧状に連続的に設けられた下側通路部3bと、弾倉本体１の前部上端からこの下側通路部3bの前端に連通している前側通路部3aとからなり、弾倉本体１の外周縁部に沿って設けられた外側通路壁3-1 と、この外側通路壁3-1 から蓄光弾２を一列状態で移動可能な間隔を存して外側通路壁3-1 と平行に設けられた内側通路壁3-2 間によって形成されている。
【００１６】
さらに、後側通路部3cの上端から内外通路壁3-1 、3-2 の上端を互い上向き円弧状に湾曲させながら延長して上記前側通路部3aの内側通路壁3-2 の後面にその外側通路壁3-1 を一体に接続させた上側中空部3dを形成していると共にこの上側中空部3dから下方に向かってその下端が上記下側通路部3bの内側通路壁3-2 に突き当てた状態で接続している内側中空部3eを形成している。
【００１７】
これらの通路部3a〜3cと上側中空部3d及び内側中空部3eとを形成している互いに平行な上記内外通路壁3-1 、3-2 は透明な硬質合成樹脂によって形成されていると共に、上側外側通路壁3-1 の内壁面に、上向き円弧状に湾曲した上側中空部3dの前端から前側通路部3aの上端に亘って光を乱反射させる三角形状の多数の凹凸面５を連続形成している。即ち、上側中空路部3dから後側通路部3cと下側通路部3bを介して前側通路部3aの上端部にまでこれらの通路部の内壁面に上記凹凸面５を連続的に形成している。
【００１８】
このように構成した蓄光弾供給通路３において、前側通路部3aの上端部を玩具空気銃の蓄光弾装填部10a に蓄光弾２を一個ずつ送り込む上向きに開口した蓄光弾装填口3a' に形成してあり、後側通路部3cの上端部内にスプリング受け6aを固定していて、蓄光弾供給通路３内に伸縮自在に配設したコイルスプリング７の基端をこのスプリング受け6aに支持させていると共に該コイルスプリング７の先端部に固定した押圧部材6bによって蓄光弾供給通路３内に一列状に装填している蓄光弾２を上記蓄光弾装填口3a' に向かって弾圧している。
【００１９】
また、弾倉本体１内における上記後側通路部3cと上側中空部3d及び内側中空部3eとで囲まれた中央部を装置室８に形成し、この装置室８内に上記照光装置４を配設している。この照光装置４は発光ダイオードからなる発光部材4aと、発光部材4aに電力を供給する電池4bと、発光部材4aと電池4bを接続している配線回路4cと、この配線回路4c中に設けられて電池4bから発光部材4aへの通電をオン、オフするスイッチ4dとからなり、このスイッチ4dには上下動自在な棒状のスイッチ部材4d' が備えられていて、該スイッチ部材4d' を上側中空部3dを横断、貫通させてその上端部を弾倉本体１の上端面から上方に突出させていると共に下端をスプリング９により受止させてあり、このスプリング力に抗して下動した際にはスイッチ4dをオン（閉止）し、スプリング力により上動した際にはスイッチ4dをオフ（開放）するように構成している。なお、発光部材4aとしては、発光ダイオードに限らず、小型電球やその他の発光部材であってもよい。
【００２０】
上記発光部材4aは、前側通路部3aの蓄光弾供給終端部である上端部後面側における上記上側中空部3dの前端部内に、その照光方向を上記蓄光弾供給終端部に向けた状態にして配設されている。具体的には、この発光部材4aは内側中空部3eの上端に連通する上側中空部3dにおける内側通路壁3-2'に貫通状態で支持、固定されてあり、この発光部材4aの後方側における装置室８の上端部内に上記スイッチ4dを配設している。なお、前側とは玩具空気銃の銃口側をいい、後側とは玩具空気銃の把手側をいう。
【００２１】
このように構成した弾倉を着脱自在に装着する玩具空気銃としては、公知の構造のものを用いることができ、例えば、図１においては、銃身10の後方に蓄光弾発射手段11を配設していると共に銃身10と蓄光弾発射手段11との連設部分の下方部に上記弾倉本体１の上端部を着脱自在に装着させる下向きに開口した弾倉装着筒部12を一体に設けてあり、さらに、この弾倉装着筒部12に弾倉本体１を装着した際において該弾倉本体１内の前側通路部3aの蓄光弾装填口3a' を上記銃身10の基端部に形成した蓄光弾装填部10a に連通させる蓄光弾送出口13を設けている。また、上記蓄光弾装填口3a' の開口端には該開口部を開閉する開閉部材（図示せず）が設けられてあり、引き金14と連動させて該開閉部材を開放し、蓄光弾装填部10a 内の蓄光弾２を蓄光弾装填部10a に供給して順次、発射させるように構成している。
【００２２】
上記蓄光弾発射手段11はエアシリンダ11a と、該エアシリンダ11a のピストン11b と、ピストン11b を弾圧するコイルスプリング11c とからなり、上記引き金14を引くことによって該エアシリンダ11a をコイルスプリング11c の弾発力に抗して後退させる動作と、コイルスプリング11c の弾発力によって前進させる動作とを繰り返し行って、上記弾倉本体１の前側通路部3aの蓄光弾装填口3a' を通じて蓄光弾装填部10a に送り込まれる蓄光弾２を発射させるように構成している。
【００２３】
次に、上記のように構成した玩具空気銃における弾倉の作用を述べると、まず、弾倉本体１内の蓄光弾供給通路３における前側通路部3a内に蓄光弾装填口3a' から蓄光弾２を順次、装填することによって複数個の蓄光弾２を通路部３内に装填する。この際、蓄光弾２を装填するに従って通路部３内のコイルスプリング７が圧縮される。通路部３内に所望個の蓄光弾２を装填したのち、この弾倉本体１を玩具空気銃における弾倉装着筒部12に差し込むことによって装着すると、この弾倉本体１の上端から上方に突出しているスイッチ4dにおけるスイッチ部材4d' の上端面が弾倉装着筒部12の下面に当接して該スイッチ部材4d' がスプリング９の力に抗して下動し、スイッチ4dが閉止して電池4bからの電流が配線回路4cを通じて発光部材4aに流れて該発光部材4aを発光させる。
【００２４】
この発光部材4aからの光が蓄光弾供給通路３の内壁面に該通路３の長さ方向に連続形成している凹凸面５によって乱反射して通路３の長さ方向に屈折しながら通路３内に一列状に装填している全ての蓄光弾２に照射し、これらの蓄光弾２に該蓄光弾２が玩具空気銃の蓄光弾装填部10に送り込まれるまで発光部材4aの照光による蓄光作用を行わせる。従って、この蓄光作用が弾倉本体１が玩具空気銃に装着されている長時間に亘って行われることになり、発光部材4aが発光ダイオードのように光度の弱いものであっても、蓄光弾２に発射から着弾に至る距離間に亘って発光を持続し得るだけの充分な光量を蓄光させることができる。
【００２５】
さらに、発光部材4aを、蓄光弾供給通路３における前側通路部3aの蓄光弾供給終端部である上端部後面側における上側中空部3dの前端部内に、その照光方向を上記蓄光弾供給終端部に向けた状態にして配設しているので、この発光部材4aからの光が前側通路部3aの透明な内側通路壁3-2 を透過して該前側通路部3aの上端部内に装填している発射前の蓄光弾２に照射してこれらの蓄光弾２に更に多くの光量を蓄光させることができる。
【００２６】
こうして、弾倉本体１内で蓄光した蓄光弾２は、前側通路部3aの上端装填口3a' から玩具空気銃における銃身後方部の蓄光弾装填部10a に送り込まれた時には、明度の大きい輝度でもって自己発光しており、この状態から直ちに引き金14を引くことによって銃口から発射させられ、着弾点に達するまでその発光状態を保持して弾道や着弾点を明確に確認することができる。
【図面の簡単な説明】
【００２７】
【図１】弾倉を装着した玩具空気銃の要部の縦断側面図。
【図２】弾倉の内部構造を示す縦断側面図。
【符号の説明】
【００２８】
１  弾倉本体
２  蓄光弾
３  蓄光弾供給通路
４  照光装置
4a  発光部材
4b  電池
4c  配線回路
4d  スイッチ
５  凹凸面
10  銃身
11  蓄光弾発射手段
【図１】
2007218522.tif 000003
【図２】
2007218522.tif 000004
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
弾倉本体に照光装置を内蔵し、この照光装置からの照光により弾倉本体内に一列状に装填している蓄光弾を蓄光させるように構成した玩具空気銃における弾倉において、蓄光弾を一列状に装填させる蓄光弾供給通路は、弾倉本体の後部内の上下端部間に設けられた後側通路部と、この後側通路部の下端から弾倉本体の前部下端間に亘って下向き円弧状に連続的に設けられた下側通路部と、弾倉本体の前部上端からこの下側通路部の前端に連通している前側通路部とからなり、且つ、後側通路部の上端から上向き円弧状に湾曲させながら延長した上側中空部を形成してあり、この上側中空部から上記後側通路部と下側通路部を介して前側通路部の上端部にまでこれらの通路部の内壁面に光を乱反射させる多数の凹凸面を連続形成していると共に上記蓄光弾供給通路内に配設したコイルスプリングによって蓄光弾供給通路内の蓄光弾を上記前側通路部の上端部に形成している蓄光弾装填口に向かって弾圧してあり、さらに、上記照光装置は弾倉内に配設している電池と、この電池に配線回路を介して接続し且つ上記上側中空部の前端部内に配設されている発光部材と、電池から発光部材への通電をオン、オフするスイッチとからなり、玩具空気銃への弾倉本体の装着によってスイッチを閉状態にし、発光部材を発光させるように構成していることを特徴とする玩具空気銃における弾倉。
【請求項２】
発光部材は発光ダイオードであることを特徴とする請求項１に記載の玩具空気銃における弾倉。
【請求項３】
蓄光弾供給通路は透明な合成樹脂よりなる通路であると共に、照光装置における照光部材をこの通路の供給終端部に向けて配設していることを特徴とする請求項１又は請求項２に記載の玩具空気銃における弾倉。
【手続補正２】
【補正対象書類名】明細書
【補正対象項目名】全文
【補正方法】変更
【補正の内容】
【発明の詳細な説明】
【技術分野】
【０００１】
本発明は、夜行性小害獣を撃退するための非殺傷威嚇用として或いは夜間における模擬戦闘ゲーム用として使用する、蓄光弾を発射する玩具空気銃において、発射する前の蓄光弾に蓄光性を付与する手段を備えた玩具空気銃における弾倉に関するものである。
【背景技術】
【０００２】
従来から、夜間や暗闇において玩具空気銃を使用する場合、通常の弾丸ではその弾道や着弾点を確認することができないため、ＢＢ弾に蓄光性顔料を塗布又は混入して蓄光性を付与している所謂、蓄光弾を使用し、この蓄光弾を玩具空気銃の銃口から発射する際に該蓄光弾に光を照射して蓄光させ、この蓄光弾を発射することによって該蓄光弾から放射される光により飛行弾道や着弾点を確認することが行われている。
【０００３】
このように、銃口から蓄光弾を発射する直前に該蓄光弾を蓄光させて発光性を付与する手段としては、例えば、特許文献１や特許文献２に記載されているように、銃身部分に銃身内を通過する蓄光弾に向かって投光するストロボ発光器と、このストロボ発光器よりも弾丸発射機構側に、弾丸の発射通過を検知するセンサとを配設し、蓄光弾の発射時に該センサによって銃身内を通過する蓄光弾を検知してその電気信号により上記ストロボ発光器を閃光させ、この閃光によって瞬間的に蓄光弾に蓄光させてるように構成している。
【特許文献１】特開昭６３−２０１４９９号公報
【特許文献２】特開２００１−１６２０３４号公報
【発明の開示】
【発明が解決しようとする課題】
【０００４】
しかしながら、閃光によって蓄光弾を蓄光させる上記ストロボ発光器は高価であるばかりでなく、センサや充電用のユニット、電池等と共に銃身部分に配設しなければならないために装置全体も煩雑化してコスト高になり、その上、銃口から高速度で発射される弾丸にその発射と同調させてストロボ発光器を作動させるには高い精度を必要とし、さらに、銃口から該ストロボ発光器の閃光が漏洩して模擬戦闘ゲーム用等として使用した場合には、相手にその位置を分からせてしまうといった問題点があった。また、蓄光性を有しないＢＢ弾射撃用の既存の玩具空気銃を、夜間において発光させる蓄光弾の射撃用として採用することができないといった問題点がある。
【０００５】
本発明はこのような問題点に鑑みてなされたもので、その目的とするところは、高価で大型のストロボ発光器などを採用することなく、玩具空気銃に弾倉を装着するだけで該弾倉内に装填している複数個の蓄光弾を弾倉内で蓄光させることができる玩具空気銃の弾倉を提供するにある。
【課題を解決するための手段】
【０００６】
上記目的を達成するために本発明の玩具空気銃の弾倉は、請求項１に記載したように、弾倉本体に照光装置を内蔵し、この照光装置からの照光により弾倉本体内に一列状に装填している蓄光弾を蓄光させるように構成した玩具空気銃における弾倉において、蓄光弾を一列状に装填させる蓄光弾供給通路は、弾倉本体の後部内の上下端部間に設けられた後側通路部と、この後側通路部の下端から弾倉本体の前部下端間に亘って下向き円弧状に連続的に設けられた下側通路部と、弾倉本体の前部上端からこの下側通路部の前端に連通している前側通路部とからなり、且つ、後側通路部の上端から上向き円弧状に湾曲させながら延長した上側中空部を形成してあり、この上側中空部から上記後側通路部と下側通路部を介して前側通路部の上端部にまでこれらの通路部の内壁面に光を乱反射させる多数の凹凸面を連続形成していると共に上記蓄光弾供給通路内に配設したコイルスプリングによって蓄光弾供給通路内の蓄光弾を上記前側通路部の上端部に形成している蓄光弾装填口に向かって弾圧してあり、さらに、上記照光装置は弾倉内に配設している電池と、この電池に配線回路を介して接続し且つ上記上側中空部の前端部内に配設されている発光部材と、電池から発光部材への通電をオン、オフするスイッチとからなり、玩具空気銃への弾倉本体の装着によってスイッチを閉状態にし、発光部材を発光させるように構成している。
【０００７】
このように構成した玩具空気銃の弾倉において、請求項２に係る発明は、上記発光部材は発光ダイオードであることを特徴とし、請求項３に係る発明は、上記蓄光弾供給通路は透明な合成樹脂よりなる通路であると共に、上記照光装置における照光部材をこの通路の供給終端部に向けて配設していることを特徴とする。
【発明の効果】
【０００８】
本発明の玩具空気銃における弾倉によれば、弾倉本体に照光装置を内蔵し、この照光装置からの照光により弾倉本体内に装填している蓄光弾を蓄光させるように構成しているので、構造が簡単て安価に提供できるのは勿論、蓄光弾が発射される前に、予め、弾倉本体内で発光手段により充分な光量を蓄光させておくことができ、従って、この蓄光済みの蓄光弾を弾倉本体から玩具空気銃の銃身後方側の蓄光弾装填部に送り出して銃口から発射させることにより、従来の銃身にストロボ発光器を装着した玩具空気銃と同様に、夜間や暗闇における蓄光弾の飛行弾道や着弾点を確実に確認することができる。また、既存の玩具空気銃の弾倉に、上記照光装置を内蔵した弾倉を採用することによって、該玩具空気銃を蓄光弾射撃用銃として便益に使用することができる。
【０００９】
上記玩具空気銃の弾倉において、上記照光装置を電池と、この電池に配線回路を介して接続している発光部材と、電池から発光部材への通電をオン、オフするスイッチとから構成していると共に玩具空気銃への弾倉本体の装着によってスイッチを閉状態にして発光部材を発光させるように構成しているので、構造が簡単で狭い弾倉本体内であってもコンパクトに収納、配設しておくことができると共に、発光部材が請求項２に記載したように発光ダイオードからなる場合には、発光ダイオードは消費電力が少なく且つ寿命が長いので、長期間に亘って一定輝度の照光を行って、弾倉本体内の蓄光弾を確実に蓄光させることができ、その上発熱しないので、玩具空気銃や弾倉本体に悪影響を及ぼす虞れはない。さらに、蓄光弾を装填している弾倉本体を玩具空気銃に装着するだけで、自動的に発光装置を作動させて該弾倉本体が玩具空気銃に装着されている間、発光部材からの発光によって蓄光弾に発光に必要な充分な光量を蓄光させることができる。
【００１０】
さらに、弾倉本体内に設けている蓄光弾供給通路の内壁面に光を乱反射させる多数の凹凸面を形成して照光装置の発光部材からの光をこの蓄光弾供給通路に一列状に装填している全ての蓄光弾に照射させるように構成しているので、発光ダイオード等の発光部材から照射される光を蓄光弾供給路内に装填されている全ての蓄光弾に均一に照光させることができ、光度の弱い発光ダンオードであっても、蓄光弾が銃身側の蓄光弾装填部に供給される間に、弾倉本体内で予め、効果的に蓄光させることができる。
【００１１】
その上、請求項３に記載したように、上記蓄光弾供給通路を透明な合成樹脂よりなる通路とし、照光装置における上記照光部材をこの通路の供給終端部に向けて配設しておくことによって、弾倉本体内から蓄光弾装填部に送り出される直前の蓄光弾により多くの光量を蓄光させることができ、銃口から発射される該蓄光弾を長く且つ明るい輝度でもって発光させて弾道や着弾点を明確に確認することができる。
【発明を実施するための最良の形態】
【００１２】
本発明の具体的な実施の形態を図面について説明すると、図１は本発明の弾倉を装着した玩具空気銃の要部の縦断側面図であって、弾倉本体１は縦長長方形状の合成樹脂製ケース体からなり、その内部に蓄光弾２を一列状に装填させる蓄光弾供給通路３と、蓄光弾２に光を照射してこれらの蓄光弾２を蓄光させる照光装置４を設けている。なお、蓄光弾２とは、蓄光性顔料を混入している合成樹脂製のＢＢ弾丸、又は、ＢＢ弾丸の表面に蓄光性顔料を塗布してなる弾丸、或いは、蓄蛍光素材で成形してなるＢＢ弾であって、照光により蓄光して照光の停止後には蓄光量に応じた時間だけ発光する弾丸をいう。
【００１３】
この蓄光弾２を一列状に装填させる上記蓄光弾供給通路３は図２に示すように、弾倉本体１の後部内の上下端部間に設けられた後側通路部3cと、この後側通路部3cの下端から弾倉本体１の前部下端間に亘って下向き円弧状に連続的に設けられた下側通路部3bと、弾倉本体１の前部上端からこの下側通路部3bの前端に連通している前側通路部3aとからなり、弾倉本体１の外周縁部に沿って設けられた外側通路壁3-1 と、この外側通路壁3-1 から蓄光弾２を一列状態で移動可能な間隔を存して外側通路壁3-1 と平行に設けられた内側通路壁3-2 間によって形成されている。
【００１４】
さらに、後側通路部3cの上端から内外通路壁3-1 、3-2 の上端を互いに上向き円弧状に湾曲させながら延長して上記前側通路部3aの内側通路壁3-2 の後面にその外側通路壁3-1
を一体に接続させた上側中空部3dを形成していると共にこの上側中空部3dから下方に向かってその下端が上記下側通路部3bの内側通路壁3-2 に突き当てた状態で接続している内側中空部3eを形成している。
【００１５】
これらの通路部3a〜3cと上側中空部3d及び内側中空部3eとを形成している互いに平行な上記内外通路壁3-1 、3-2 は透明な硬質合成樹脂によって形成されていると共に、上側外側通路壁3-1 の内壁面に、上向き円弧状に湾曲した上側中空部3dの前端から前側通路部3aの上端に亘って光を乱反射させる三角形状の多数の凹凸面５を連続形成している。即ち、上側中空部3dから後側通路部3cと下側通路部3bを介して前側通路部3aの上端部にまでこれらの通路部の内壁面に上記凹凸面５を連続的に形成している。
【００１６】
このように構成した蓄光弾供給通路３において、前側通路部3aの上端部を玩具空気銃の蓄光弾装填部10a に蓄光弾２を一個ずつ送り込む上向きに開口した蓄光弾装填口3a' に形成してあり、後側通路部3cの上端部内にスプリング受け6aを固定していて、蓄光弾供給通路３内に伸縮自在に配設したコイルスプリング７の基端をこのスプリング受け6aに支持させていると共に該コイルスプリング７の先端部に固定した押圧部材6bによって蓄光弾供給通路３内に一列状に装填している蓄光弾２を上記蓄光弾装填口3a' に向かって弾圧している。
【００１７】
また、弾倉本体１内における上記後側通路部3cと上側中空部3d及び内側中空部3eとで囲まれた中央部を装置室８に形成し、この装置室８内に上記照光装置４を配設している。この照光装置４は発光ダイオードからなる発光部材4aと、発光部材4aに電力を供給する電池4bと、発光部材4aと電池4bを接続している配線回路4cと、この配線回路4c中に設けられて電池4bから発光部材4aへの通電をオン、オフするスイッチ4dとからなり、このスイッチ4dには上下動自在な棒状のスイッチ部材4d' が備えられていて、該スイッチ部材4d' を上側中空部3dを横断、貫通させてその上端部を弾倉本体１の上端面から上方に突出させていると共に下端をスプリング９により受止させてあり、このスプリング力に抗して下動した際にはスイッチ4dをオン（閉止）し、スプリング力により上動した際にはスイッチ4dをオフ（開放）するように構成している。なお、発光部材4aとしては、発光ダイオードに限らず、小型電球やその他の発光部材であってもよい。
【００１８】
上記発光部材4aは、前側通路部3aの蓄光弾供給終端部である上端部後面側における上記上側中空部3dの前端部内に、その照光方向を上記蓄光弾供給終端部に向けた状態にして配設されている。具体的には、この発光部材4aは内側中空部3eの上端に連通する上側中空部3dにおける内側通路壁3-2'に貫通状態で支持、固定されてあり、この発光部材4aの後方側における装置室８の上端部内に上記スイッチ4dを配設している。なお、前側とは玩具空気銃の銃口側をいい、後側とは玩具空気銃の把手側をいう。
【００１９】
このように構成した弾倉を着脱自在に装着する玩具空気銃としては、公知の構造のものを用いることができ、例えば、図１においては、銃身10の後方に蓄光弾発射手段11を配設していると共に銃身10と蓄光弾発射手段11との連設部分の下方部に上記弾倉本体１の上端部を着脱自在に装着させる下向きに開口した弾倉装着筒部12を一体に設けてあり、さらに、この弾倉装着筒部12に弾倉本体１を装着した際において該弾倉本体１内の前側通路部3aの蓄光弾装填口3a' を上記銃身10の基端部に形成した蓄光弾装填部10a に連通させる蓄光弾送出口13を設けている。また、上記蓄光弾装填口3a' の開口端には該開口部を開閉する開閉部材（図示せず）が設けられてあり、引き金14と連動させて該開閉部材を開放し、蓄光弾装填部10a 内の蓄光弾２を蓄光弾装填部10a に供給して順次、発射させるように構成している。
【００２０】
上記蓄光弾発射手段11はエアシリンダ11a と、該エアシリンダ11a のピストン11b と、ピストン11b を弾圧するコイルスプリング11c とからなり、上記引き金14を引くことによって該エアシリンダ11a をコイルスプリング11c の弾発力に抗して後退させる動作と、コイルスプリング11c の弾発力によって前進させる動作とを繰り返し行って、上記弾倉本体１の前側通路部3aの蓄光弾装填口3a' を通じて蓄光弾装填部10a に送り込まれる蓄光弾２を発射させるように構成している。
【００２１】
次に、上記のように構成した玩具空気銃における弾倉の作用を述べると、まず、弾倉本体１内の蓄光弾供給通路３における前側通路部3a内に蓄光弾装填口3a' から蓄光弾２を順次、装填することによって複数個の蓄光弾２を通路部３内に装填する。この際、蓄光弾２を装填するに従って通路部３内のコイルスプリング７が圧縮される。通路部３内に所望個の蓄光弾２を装填したのち、この弾倉本体１を玩具空気銃における弾倉装着筒部12に差し込むことによって装着すると、この弾倉本体１の上端から上方に突出しているスイッチ4dにおけるスイッチ部材4d' の上端面が弾倉装着筒部12の下面に当接して該スイッチ部材4d' がスプリング９の力に抗して下動し、スイッチ4dが閉止して電池4bからの電流が配線回路4cを通じて発光部材4aに流れて該発光部材4aを発光させる。
【００２２】
この発光部材4aからの光が蓄光弾供給通路３の内壁面に該通路３の長さ方向に連続形成している凹凸面５によって乱反射して通路３の長さ方向に屈折しながら通路３内に一列状に装填している全ての蓄光弾２に照射し、これらの蓄光弾２に該蓄光弾２が玩具空気銃の蓄光弾装填部10に送り込まれるまで発光部材4aの照光による蓄光作用を行わせる。従って、この蓄光作用が弾倉本体１が玩具空気銃に装着されている長時間に亘って行われることになり、発光部材4aが発光ダイオードのように光度の弱いものであっても、蓄光弾２に発射から着弾に至る距離間に亘って発光を持続し得るだけの充分な光量を蓄光させることができる。
【００２３】
さらに、発光部材4aを、蓄光弾供給通路３における前側通路部3aの蓄光弾供給終端部である上端部後面側における上側中空部3dの前端部内に、その照光方向を上記蓄光弾供給終端部に向けた状態にして配設しているので、この発光部材4aからの光が前側通路部3aの透明な内側通路壁3-2 を透過して該前側通路部3aの上端部内に装填している発射前の蓄光弾２に照射してこれらの蓄光弾２に更に多くの光量を蓄光させることができる。
【００２４】
こうして、弾倉本体１内で蓄光した蓄光弾２は、前側通路部3aの上端装填口3a' から玩具空気銃における銃身後方部の蓄光弾装填部10a に送り込まれた時には、明度の大きい輝度でもって自己発光しており、この状態から直ちに引き金14を引くことによって銃口から発射させられ、着弾点に達するまでその発光状態を保持して弾道や着弾点を明確に確認することができる。
【図面の簡単な説明】
【００２５】
【図１】弾倉を装着した玩具空気銃の要部の縦断側面図。
【図２】弾倉の内部構造を示す縦断側面図。
【符号の説明】
【００２６】
１  弾倉本体
２  蓄光弾
３  蓄光弾供給通路
４  照光装置
4a  発光部材
4b  電池
4c  配線回路
4d  スイッチ
５  凹凸面
10  銃身
11  蓄光弾発射手段